(57)【特許請求の範囲】
【請求項１】
送電線を鉄塔に引留める引留クランプの羽子板部を切断する切断装置であって、
切断装置本体と、前記切断装置本体の下側に取付けられた回収袋と、切断歯連結部と、前記切断歯連結部に取付けられる切断歯と、油圧パイプにより互いに接続された油圧ポンプと油圧シリンダーとを有し、
前記切断装置本体は、回転軸部を介して前記引留クランプのクランプ本体を把持するクランプ本体把持部を有し、
前記クランプ本体把持部は、前記回転軸部の反対側にクランプ本体把持部固定端子を有し、
前記切断装置本体の他端には、前記クランプ本体把持部固定端子を固定する固定端子受け部を有し、
前記切断歯連結部は、一方に切断歯連結雄ネジと、他方に切断歯取付け孔とを有し、
前記切断歯は、前記切断歯連結部に取付けられる切断歯取付け孔を有し、
前記油圧シリンダーは、シリンダーヘッドに前記切断歯連結部が捩じ込まれる雌ネジ部を有し、
前記油圧シリンダーは、前記切断装置本体に取付けられ、
前記油圧シリンダーの前記雌ネジ部に、前記切断歯連結部の前記切断歯連結雄ネジが捩じ込まれ、
前記切断歯連結部に前記切断歯が、互いの前記切断歯取付け孔に切断歯取付けネジが挿入されてネジ止めされ、
前記切断装置本体の前記クランプ本体把持部が、前記クランプ本体に掛けられ、前記クランプ本体把持部固定端子と前記固定端子受け部とがボルトにより固定されて把持し、
前記切断装置本体は、前記クランプ本体把持部により、前記クランプ本体が把持された際に、前記羽子板部が貫通する空洞を有し、
前記切断歯は、一枚歯からなり、前記油圧シリンダーにより前記空洞内で前進して、前記羽子板部を前記空洞の内壁面に押し付けて切断し、
前記回収袋は、前記切断装置本体に密着して取り付けられ、前記空洞を覆うことを特徴とする切断装置。
【発明の詳細な説明】
【技術分野】
【０００１】
本発明は、送電線を鉄塔に引留める引留クランプの切断装置に係り、より詳しくは、クランプ本体の羽子板部を安全に能率よく切断する切断装置に関する。
【背景技術】
【０００２】
図４は、送電線の鉄塔への取付けとその引留クランプの構成を示す。図４ａ、図４ｂにおいて、送電線６０は、引留クランプのクランプ本体４０により引留められ、クランプ本体４０の架線金具取付け部４６は、架線金具７０により、鉄塔９０に取付けられた碍子８０に引留められている。また、クランプ本体４０により引留められた送電線６０は、クランプ本体４０の羽子板部４２のジャンパクランプ取付け孔４４とジャンパクランプ５０のジャンパクランプ取付け孔５２とがボルト（図示せず）で固定されることにより、ジャンパ線５５に接続され、同様の対称構成で、鉄塔９０の反対側の送電線６０に接続され、送電系を構成している。
【０００３】
従来、この送電系において、古い送電線６０を特許文献１の図３に示される方法で延線されて撤去する場合、クランプ本体４０の羽子板部４２が延線経路を塞ぎ、延線できないため、引留クランプ本体４０の口元の送電線６０を金鋸で切断して、送電線６０に延線クランプ（図示せず）を取付けて、延線され撤去されていた。この送電線６０の切断と延線クランプの取付けとは、鉄塔上の手作業であるため、相応の労力と時間とを要する作業となっていた。
【０００４】
特許文献１には、送電線鉄塔に送電線を延線する際、地上において、その延線途中の送電線の所定位置に外形形状がほぼ円筒状を呈し、金車を通過することのできる楔型クランプを取付ける旨の記載がある。
【先行技術文献】
【特許文献】
【０００５】
【特許文献１】平３−１９０５１７号公報
【発明の概要】
【発明が解決しようとする課題】
【０００６】
本発明は、このような問題を解決するためになされたものであり、その目的は、クランプ本体の羽子板部を安全に能率よく切断する切断装置を提供する。
【課題を解決するための手段】
【０００７】
本発明の切断装置は、送電線を鉄塔に引留める引留クランプの羽子板部を切断する切断装置であって、切断装置本体と、切断装置本体の下側に取付けられた回収袋と、切断歯連結部と、切断歯連結部に取付けられる切断歯と、油圧パイプにより互いに接続された油圧ポンプと油圧シリンダーとを有し、切断装置本体は、回転軸部を介して引留クランプのクランプ本体を把持するクランプ本体把持部を有し、クランプ本体把持部は、回転軸部の反対側にクランプ本体把持部固定端子を有し、切断装置本体の他端には、クランプ本体把持部固定端子を固定する固定端子受け部を有し、切断歯連結部は、一方に切断歯連結雄ネジと、他方に切断歯取付け孔とを有し、切断歯は、切断歯連結部に取付けられる切断歯取付け孔を有し、油圧シリンダーは、シリンダーヘッドに切断歯連結部が捩じ込まれる雌ネジ部を有し、油圧シリンダーは、切断装置本体に取付けられ、油圧シリンダーの雌ネジ部に、切断歯連結部の切断歯連結雄ネジが捩じ込まれ、切断歯連結部に切断歯が、互いの切断歯取付け孔に切断歯取付けネジが挿入されてネジ止めされ、切断装置本体のクランプ本体把持部が、クランプ本体に掛けられ、クランプ本体把持部固定端子と固定端子受け部とがボルトにより固定されて把持し、切断装置本体は、クランプ本体把持部により、クランプ本体が把持された際に、羽子板部が貫通する空洞を有し、切断歯は、一枚歯からなり、油圧シリンダーにより空洞内で前進して、羽子板部を空洞の内壁面に押し付けて切断し、回収袋は、切断装置本体に密着して取り付けられ、空洞を覆うことを特徴とする切断装置。
【発明の効果】
【０００８】
本発明によれば、クランプ本体の羽子板部を安全に能率よく切断する切断装置を提供することができる。
【図面の簡単な説明】
【０００９】
【図１】本発明による切断装置の構成とその取付け構成図
【図２】本発明による切断装置の取付け詳細図
【図３】本発明による切断歯及び切断歯連結部の構成図
【図４】送電線の鉄塔への引留構成及び引留クランプの構成図
【発明を実施するための形態】
【実施例】
【００１０】
本発明の実施の形態について、図を用いて説明する。図１は、本発明による切断装置の構成とその取付け構成図である。図１において、本発明による切断装置１００は、切断装置本体１０と、切断装置本体１０の下側に取付けられた回収袋１６と、切断歯連結部３０と、切断歯連結部３０に取付けられる切断歯３８と、油圧パイプ２７により互いに接続された油圧ポンプ２５と油圧シリンダー２０とを有している。そして図２で説明する取付け方法によりクランプ本体４０に取付けられ、クランプ本体４０の羽子板部４２を切断する。
【００１１】
図２は、本発明による切断装置の取付け詳細図である。図２において、切断装置本体１０は、回転軸部１３を介して引留クランプのクランプ本体４０を把持するクランプ本体把持部１２を有している。また、クランプ本体把持部１２は、回転軸部１３の反対側にクランプ本体把持部固定端子１４を有している。切断装置本体１０の他端には、クランプ本体把持部固定端子１４を固定する固定端子受け部１５を有している。
【００１２】
そして、切断装置本体１０のクランプ本体把持部１２が、クランプ本体４０に掛けられ、クランプ本体把持部固定端子１４と固定端子受け部１５とがボルト（図示せず）により固定されて、図１に示されるようにクランプ本体４０を把持する。固定において、クランプ本体把持部固定端子１４は、当該ボルトが貫通する貫通穴を有し、固定端子受け部１５は、当該ボルトでネジ止めされる雌ネジ穴を有しても良い。
【００１３】
図３は、本発明による切断歯及び切断歯連結部の構成図である。図３において、切断歯連結部３０は、一方に切断歯連結雄ネジ３２と、他方に切断歯取付け孔３４とを有している。切断歯３８は、切断歯連結部３０に取付けられる切断歯取付け孔３４を有している。油圧シリンダー２０は、シリンダーヘッド２２の先端に、切断歯連結部３０が捩じ込まれる雌ネジ部２２を有している。
【００１４】
図２、図３を参照して、油圧シリンダー２０は、切断装置本体１０に取付けられ、油圧シリンダー２０の雌ネジ部２２に、切断歯連結部３０の切断歯連結雄ネジ３２が捩じ込まれる。切断歯連結部３０の切断歯取付け穴３４と、切断歯３８の切断歯取付け穴３４とに切断歯取付けネジ３６が挿入されてネジ止めされ、固定される。切断歯連結部３０の切断歯取付け穴３４であって、切断歯取付けネジ３６のネジ先端側の穴は、切断歯取付けネジ３６でネジ止めされる雌ネジ穴を有しても良い。この状態で、切断歯３８とクランプ本体４０の羽子板部４２とが、互いに、延線作業による送電線の撤去作業を可能とするに必要な切断の所定の位置となるように、図１に示される切断装置本体１０がクランプ本体４０に取付けられる。
【００１５】
図１を参照して、油圧ポンプ２５から加圧された油が油圧パイプ２７を介して油圧シリンダー２０へ送られる。油圧シリンダー２０のシリンダーヘッド２２は、この油圧により矢印方向に、切断歯３８と共に前後し、所定の位置でクランプ本体４０の羽子板部４２を切断する。切断された羽子板部４２や切断中の切削粉は回収袋１６内に落下し、安全に回収される。また、油圧ポンプ２５をバッテリー式にすることで、電気の供給や移動が難しい鉄塔上での作業を容易にすることが可能となる。
【００１６】
以上説明したように、本発明の切断装置により引留クランプの羽子板部を所定の位置で切断することが可能となり、鉄塔上での手作業による金鋸の使用が無くなり、また、延線用のクランプの取付けの必要も無くなる。このように、クランプ本体の羽子板部を所定の位置で安全に能率よく切断し、延線作業による古い送電線の撤去を可能とする切断装置を提供することができる。
【符号の説明】
【００１７】
１０  切断装置本体
１２  クランプ本体把持部
１３  回転軸部
１４  クランプ本体把持部固定端子
１５  固定端子受け部
１６  回収袋
２０  油圧シリンダー
２２  シリンダーヘッド
２４  雌ネジ部
２５  油圧ポンプ
２７  油圧パイプ
３０  切断歯連結部
３２  切断歯連結雄ネジ
３４  切断歯取付け孔
３６  切断歯取付けネジ
３８  切断歯
４０  クランプ本体
４２  羽子板部
４４  ジャンパクランプ取付け孔
４６  架線金具取付け部
５０  ジャンパクランプ
５２  ジャンパクランプ取付け孔
５５  ジャンパ線
６０  送電線
７０  架線金具
８０  碍子
９０  鉄塔
１００  本発明の切断装置
【図１】
0005811347.tif 000002
【図２】
0005811347.tif 000003
【図３】
0005811347.tif 000004
【図４】
0005811347.tif 000005